(57)【要約】【課題】運転停止状態において、フィルタを取り外した時の水漏れを防止する。【解決手段】外槽３３の底部に一端を接続し他端を洗濯兼脱水槽３４の開口部に臨ませた循環経路４４と、外槽３３内の洗濯水を循環経路４４を通して洗濯兼脱水槽３４内に吐出し循環させる循環ポンプ４５と、循環経路４４に設けられ洗濯水中の異物を取り除くフィルタ手段４７とを備え、フィルタ手段４７は、循環経路４４に連通接続したフィルタケース４７ａと、フィルタケース４７ａ内に脱着自在に装着するフィルタ４７ｂと、フィルタ４７ｂを通過する洗濯水の流動を制御する開閉手段４８、４９とを有し、開閉手段４８、４９は、フィルタ４７ｂの脱着動作に連動して開閉するようにしたものである。【選択図】図１
2014212821.tif 000002
【特許請求の範囲】
【請求項１】
洗濯機外枠内に支持された外槽と、
前記外槽内に回転自在に配設された洗濯兼脱水槽と、
前記洗濯兼脱水槽を回転させる駆動手段と、
前記外槽内に洗濯水を供給する給水手段と、
前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、
前記循環経路に設けられ洗濯水中の異物を取り除くフィルタ手段と、を備え、
前記フィルタ手段は、
前記循環経路に連通接続したフィルタケースと、
前記フィルタケース内に脱着自在に装着されるフィルタと、
前記フィルタを通過する洗濯水の流動を制御する開閉手段と、を有し、
前記開閉手段は、前記フィルタの脱着動作に連動して開閉するようにした洗濯機。
【請求項２】
前記開閉手段は、
前記フィルタを通過する洗濯水の流入側に設けた第１の開閉手段と、
前記フィルタを通過する洗濯水の流出側に設けた第２の開閉手段と、を有する構成とした請求項１に記載の洗濯機。
【請求項３】
前記フィルタ手段は、
前記フィルタに脱着操作用のフィルタツマミを設けるとともに、
前記フィルタツマミの回動動作に連動して開閉手段を開閉するように構成し、
前記フィルタツマミを回動させて前記フィルタを取外位置にしたとき、前記開閉手段を閉じるようにした請求項１または２に記載の洗濯機。
【請求項４】
前記フィルタ手段は、
フィルタの装着動作に連動して前記開閉手段を開くように構成し、
前記フィルタの離脱時は、前記開閉手段を閉じるようにした請求項１または２に記載の洗濯機。
【請求項５】
前記開閉手段は、
前記フィルタケースの流入側に設けた第１の開口部と、
前記フィルタケースの流出側に設けた第２の開口部と、
前記フィルタケースの内壁に接して回動する円筒状の弁体と、
前記弁体の側壁に前記第１の開口部に対向して設けた第１の貫通口と、
前記弁体の側壁に前記第２の開口部に対向して設けた第２の貫通口と、を有し、
前記弁体を回動させて前記フィルタケースの第１の開口部と第２の開口部を開閉するようにした請求項１〜４のいずれか１項に記載の洗濯機。
【請求項６】
前記フィルタに脱着操作用のフィルタツマミを設け、
前記フィルタツマミの回動操作に連動して円筒状の前記弁体を回動させるようにした請求項５記載の洗濯機。
【請求項７】
前記フィルタケースに排水口を設けるとともに、
円筒状の前記弁体に前記フィルタケース内の洗濯水を排水する第３の貫通口を設け、
フィルタに設けた脱着操作用のフィルタツマミを回動させて前記フィルタを取外位置にしたとき、前記第３の貫通口を前記フィルタケースに設けた前記排水口と対向するようにした請求項５または６に記載の洗濯機。
【請求項８】
前記フィルタに脱着操作用のフィルタツマミを設けるとともに、
前記フィルタツマミを外方から覆うフィルタ扉を備え、
前記開閉手段は、前記フィルタ扉の開閉動作に連動して開閉するように構成し、
前記フィルタ扉の開成時に、前記開閉手段を閉じるようにした請求項１または２に記載の洗濯機。
【発明の詳細な説明】
【技術分野】
【０００１】
本発明は、衣類等の洗濯物を洗う洗濯機に関する。
【背景技術】
【０００２】
従来、この種の洗濯機は、洗濯水に含まれるリント等の異物を取り除くフィルタ装置が排水経路に設けられており、フィルタを脱着可能に設けて捕集した異物を除去することができるようにしている。そして、フィルタ装置のメンテナンス時に、排水が機外に漏れることを防止することが考えられている（例えば、特許文献１参照）。
【０００３】
図１３は、特許文献１に記載された従来の洗濯機を示すものである。図１３において、ドラム１を回転自在に支持する水槽２内の水を排出する排水経路３と、排水経路３の途中に着脱可能に配設され、排水に含まれるリント等の異物を捕集するフィルタ装置４と、が設けられる。さらに、排水経路３の途中に連通して設けられ、排水の一部を導く排水導入経路５と、排水導入経路５中の水位を検知するフロートから成る残水検知手段６と、残水検知手段６と連係してフィルタ装置４の取り外しを規制するロック装置７とが設けられる。残水を検知してフィルタ装置４の取り外しを規制することにより、残水があるときのフィルタ装置４の取り外しによる漏水を防止するようにしたものである。
【先行技術文献】
【特許文献】
【０００４】
【特許文献１】特開２０１０−１３６７４０号公報
【発明の概要】
【発明が解決しようとする課題】
【０００５】
しかしながら、前記従来の構成では、フィルタ装置の取り外しを規制するロック装置は、電気的に駆動する構成であるため、電源が遮断されると作動しなくなるという課題があった。一般的に、フィルタ装置のメンテナンス作業は、洗濯の終了後に行われることが多く、洗濯機は運転を停止した状態であり、ロック装置を駆動する制御手段が不作動状態であるときは、フィルタ装置の取り外しによる漏水を防止することがでないという問題があった。
【０００６】
本発明は、前記従来の課題を解決するもので、洗濯機の運転が停止した状態において、フィルタを取り外した時の水漏れを防止するようにした洗濯機を提供することを目的とする。
【課題を解決するための手段】
【０００７】
前記従来の課題を解決するために、本発明の洗濯機は、洗濯機外枠内に支持された外槽と、前記外槽内に回転自在に配設された洗濯兼脱水槽と、前記洗濯兼脱水槽を回転させる駆動手段と、前記外槽内に洗濯水を供給する給水手段と、前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、前記循環経路に設けられ洗濯水中の異物を取り除くフィルタ手段と、を備える。前記フィルタ手段は、前記循環経路に連通接続したフィルタケースと、前記フィルタケース内に脱着自在に装着されるフィルタと、前記フィルタを通過する洗濯水の流動を制御する開閉手段と、を有し、前記開閉手段は、前記フィルタの脱着動作に連動して開閉するようにしたものである。
【０００８】
これによって、洗濯後、運転を停止した状態、あるいは、洗濯中に運転動作を停止した
状態で、制御手段が不作動の状態であるときに、フィルタの掃除を目的としてフィルタを取外す時に、開閉手段を閉じることができ、外槽や循環経路に洗濯水が存在する場合でも、フィルタ手段からの漏水を防止することができる。
【発明の効果】
【０００９】
本発明の洗濯機は、運転停止状態においてフィルタを取外した場合でも、フィルタ手段からの漏水を防止することができる。
【図面の簡単な説明】
【００１０】
【図１】本発明の実施の形態１における洗濯機の要部断面図
【図２】同洗濯機のフィルタ手段の正面図
【図３】同洗濯機のフィルタ手段の正面図
【図４】本発明の実施の形態２における洗濯機の要部断面図
【図５】同洗濯機のフィルタを取り外した状態の要部断面図
【図６】本発明の実施の形態３における洗濯機のフィルタ手段の要部断面図
【図７】同洗濯機のフィルタ手段の要部断面図
【図８】本発明の実施の形態４における洗濯機のフィルタ手段の要部断面図
【図９】同洗濯機のフィルタ手段の要部断面図
【図１０】本発明の実施の形態５における洗濯機のフィルタ手段の要部断面図
【図１１】同洗濯機のフィルタ手段の要部断面図
【図１２】本発明の実施の形態６における洗濯機の要部断面図
【図１３】従来の洗濯機の要部断面図
【発明を実施するための形態】
【００１１】
本発明の洗濯機は、洗濯機外枠内に支持された外槽と、前記外槽内に回転自在に配設された洗濯兼脱水槽と、前記洗濯兼脱水槽を回転させる駆動手段と、前記外槽内に洗濯水を供給する給水手段と、前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、前記循環経路に設けられ洗濯水中の異物を取り除くフィルタ手段と、を備える。前記フィルタ手段は、前記循環経路に連通接続したフィルタケースと、前記フィルタケース内に脱着自在に装着されるフィルタと、前記フィルタを通過する洗濯水の流動を制御する開閉手段と、を有し、前記開閉手段は、前記フィルタの脱着動作に連動して開閉するようにしたものである。
【００１２】
これにより、洗濯後、運転を停止した状態、あるいは、洗濯中に運転動作を停止した状態で、フィルタの掃除を目的としてフィルタを取外す時に、開閉手段を閉じることができ、外槽や循環経路に洗濯水が存在する場合でも、フィルタ手段からの漏水を防止することができる。また、洗濯水が高温に加熱された状態でも、安全にフィルタのメンテナンス作業を行うことができる。
【００１３】
上記構成において、前記開閉手段は、前記フィルタを通過する洗濯水の流入側に設けた第１の開閉手段と、前記フィルタを通過する洗濯水の流出側に設けた第２の開閉手段と、を有してもよい。
【００１４】
これにより、フィルタ手段に対して、流入側と流出側からのフィルタ手段への洗濯水の流入を防止することができ、循環経路に存在する洗濯水の漏水を防止することができる。
【００１５】
上記構成において、前記フィルタ手段は、前記フィルタに脱着操作用のフィルタツマミを設けるとともに、前記フィルタツマミの回動動作に連動して開閉手段を開閉するように構成し、前記フィルタツマミを回動させて前記フィルタを取外位置にしたとき、前記開閉
手段を閉じるようにしてもよい。
【００１６】
これにより、フィルタの装着と離脱の動作に連動して開閉手段を開閉し、フィルタを取り外す前に、開閉手段を閉じることができ、フィルタ手段からの漏水を確実に防止することができる。
【００１７】
上記構成において、前記フィルタ手段は、フィルタの装着動作に連動して前記開閉手段を開くように構成し、前記フィルタの離脱時は、前記開閉手段を閉じるようにしてもよい。
【００１８】
これにより、フィルタの装着と離脱の動作に連動して開閉手段を開閉することができ、フィルタ手段からの漏水を確実に防止することができる。
【００１９】
上記構成において、前記開閉手段は、前記フィルタケースの流入側に設けた第１の開口部と、前記フィルタケースの流出側に設けた第２の開口部と、前記フィルタケースの内壁に接して回動する円筒状の弁体と、前記弁体の側壁に前記第１の開口部に対向して設けた第１の貫通口と、前記弁体の側壁に前記第２の開口部に対向して設けた第２の貫通口と、を有し、前記弁体を回動させて前記フィルタケースの第１の開口部と第２の開口部を開閉するようにしてもよい。
【００２０】
これにより、円筒状の弁体で第１および第２の開口部を開閉する開閉手段を構成することができ、簡略な構成でフィルタ手段からの漏水を防止することができる。
【００２１】
上記構成において、前記フィルタに脱着操作用のフィルタツマミを設け、前記フィルタツマミの回動操作に連動して円筒状の前記弁体を回動させるようにしてもよい。
【００２２】
これにより、フィルタの取外し時に、フィルタ手段からの漏水を防止することができるとともに、フィルタのメンテナンス作業後の開閉手段の閉め忘れを防止することができる。
【００２３】
上記構成において、前記フィルタケースに排水口を設けるとともに、円筒状の前記弁体に前記フィルタケース内の洗濯水を排水する第３の貫通口を設け、フィルタに設けた脱着操作用のフィルタツマミを回動させて前記フィルタを取外位置にしたとき、前記第３の貫通口を前記フィルタケースに設けた前記排水口と対向するようにしてもよい。
【００２４】
これにより、フィルタの取り外し前に、フィルタケース内の洗濯水や残水を排水口から排出することができるようになり、フィルタの取外し時に、フィルタ手段からの漏水を防止することができる。
【００２５】
上記構成において、前記フィルタに脱着操作用のフィルタツマミを設けるとともに、前記フィルタツマミを外方から覆うフィルタ扉を備え、前記開閉手段は、前記フィルタ扉の開閉動作に連動して開閉するように構成し、前記フィルタ扉の開成時に、前記開閉手段を閉じるようにしてもよい。
【００２６】
これにより、フィルタの取外し時に、フィルタ手段からの漏水を防止することができるとともに、フィルタのメンテナンス作業後の開閉手段の閉め忘れを防止することができる
。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における洗濯機の要部断面図、図２は、同洗濯機のフィルタ手段のフィルタ装着位置の正面図、図３は、同フィルタ手段のフィルタ取外位置の正面図である。
【００２９】
図１〜図３において、洗濯機外枠３０は、弾性体３１と、減衰装置３２により外槽３３を揺動可能に弾性支持している。洗濯兼脱水槽３４は、外槽３３内に回転自在に配設している。モータ（駆動手段）３５は、ブラシレス直流モータで構成され、インバータ制御によって回転速度を自在に変化させることができるようにしている。
【００３０】
モータ３５は、外槽３３の外底部の後面側に取り付けている。モータ３５の動力は、モータ３５の回転軸に取り付けたモータプーリ３５ａと、洗濯兼脱水槽３４の回転軸に取り付けた洗濯兼脱水槽プーリ３４ａに架設した駆動ベルト３５ｂを介して洗濯兼脱水槽３４に伝達され、回転させるようにしている。
【００３１】
給水弁（給水手段）３６は、水道栓等に接続され、外槽３３内と洗剤供給手段３７に洗濯水を給水するものであり、外槽３３内への直接給水と、洗剤供給手段３７を経由する間接給水とに切り替える電磁式の２方弁である。水位検知手段３８は、外槽３３内の洗濯水の水位を検知する。排水弁（排水手段）３９は、外槽３３内の洗濯水を機外へ排水するものである。
【００３２】
制御手段４０は、洗濯機外枠３０内の上部に配設されており、洗濯機外枠３０の前面上部に設けられた操作表示部（図示せず）により入力された設定内容に基づいて、洗い、すすぎ、脱水の各行程を逐次制御し、パワースイッチング手段（図示せず）を介して、モータ３５、給水弁３６、排水弁３９等を逐次制御する。
【００３３】
減衰装置３２は、オイルを作動流体とする粘性ダンパーで、脱水起動時の外槽３３の共振振動振幅を低減するものであり、洗濯機外枠３０の底部３０ａと外槽３３の底部３３ａの間に固定されている。脚４１は、ゴムなどの弾性体で構成され、洗濯機外枠３０の底部３０ａの四隅に配設されている。
【００３４】
加熱手段４２は、水中で使用可能なシーズヒータ等が使用され、外槽３３内の底部に略Ｕ字状に曲げて配設されている。外槽３３内の洗濯水は、操作表示部により設定された設定温度に基づいて、洗濯に適した温度（例えば、４０℃）に加熱され、また、除菌に適した温度（例えば、７０℃）に加熱される。洗濯水の温度は、外槽３３の底部３３ａに設けられたサーミスタ等の温度検知手段４３により検知し、加熱手段４２は、温度検知手段４３の出力信号により制御される。
【００３５】
外槽３３の底部３３ａと、外槽３３の前面側に設けた開口部３３ｂとを連通接続した循環経路４４が設けられており、循環経路４４には、外槽３３内の洗濯水を加圧し循環させる循環ポンプ４５が設けられている。循環ポンプ４５の出口側４５ａには、噴出ノズル４６が接続されており、外槽３３の開口部３３ｂに設けられた噴出口４６ａから洗濯兼脱水槽３４内に洗濯水を吐出するようにしている。
【００３６】
循環経路４４には、循環経路４４を流れる洗濯水中のリント等の異物を取り除くフィル
タ手段４７が設けられており、フィルタ手段４７は、循環ポンプ４５の入口側４５ｂに配設している。
【００３７】
フィルタ手段４７は、循環経路４４に連通接続したフィルタケース４７ａと、フィルタケース４７ａ内に脱着自在に装着するフィルタ４７ｂと、フィルタ４７ｂの装着時と取り外し時にフィルタ４７ｂを把持するフィルタツマミ４７ｃと、フィルタ４７ｂを通過する洗濯水の流動を制御する第１の開閉手段（開閉手段）４８、および、第２の開閉手段（開閉手段）４９を有している。
【００３８】
洗濯機外枠３０の下部前面にフィルタ扉４７ｄが設けられている。フィルタ扉４７ｄは、フィルタツマミ４７ｃを外方から覆うように開閉可能に設けてあり、フィルタ４７ｂの脱着操作時は、フィルタ扉４７ｄを開いてフィルタツマミ４７ｃを露出させることができる。
【００３９】
第１の開閉手段４８は、フィルタケース４７ａに洗濯水が流入し、フィルタ４７ｂを通過するフィルタケース４７ａの洗濯水の流入側に設けた第１の開口部４７ｅを開閉するように構成し、第１の開口部４７ｅを閉じる方向に付勢している。第２の開閉手段４９は、フィルタ４７ｂを通過するフィルタケース４７ａの洗濯水の流出側に設けた第２の開口部４７ｆを開閉するように構成し、第２の開口部４７ｆを閉じる方向に付勢している。
【００４０】
第１の開閉手段４８の操作部４８ａは、フィルタツマミ４７ｃとともに回転する回転操作部５１に設けた第１の連結部５１ａと連結している。また、第２の開閉手段４９の操作部４９ａは、フィルタツマミ４７ｃとともに回転する回転操作部５１に設けた第２の連結部５１ｂと連結している。操作部４８ａ、４９ａは、細いワイヤー等で構成し、ガイド用の回転ローラー４８ｂ、４９ｂで支持されている。
【００４１】
フィルタ手段４７は、第１の開閉手段４８および第２の開閉手段４９の付勢力に抗して、フィルタツマミ４７ｃを矢印方向へ略９０度回動させることにより、第１の連結部５１ａおよび第２の連結部５１ｂを回動させ、操作部４８ａ、４９ａを介して第１の開閉手段４８および第２の開閉手段４９を開閉し、フィルタツマミ４７ｃの回動動作に連動して、第１の開閉手段４８および第２の開閉手段４９を開閉するように構成している。
【００４２】
図３のように、フィルタツマミ４７ｃを矢印イ方向へ取外位置まで回動させると、第１の開閉手段４８および第２の開閉手段４９を閉じた状態に保持して、フィルタ４７ｂをフィルタケース４７ａから取り出すことができる。
【００４３】
また、フィルタ４７ｂをフィルタケース４７ａに挿入し、図２のように、フィルタツマミ４７ｃを元の位置まで矢印ロ方向へ回動させると、第１の開閉手段４８および第２の開閉手段４９を開いた状態に保持することができ、フィルタ４７ｂの脱着動作に連動して、開閉手段である第１の開閉手段４８および第２の開閉手段４９を開閉することができる。
【００４４】
以上のように構成された洗濯機について、以下その動作、作用を説明する。まず、外槽３３の前面側に設けた開口部３３ｂを開閉する扉３０ｂを開き、洗濯兼脱水槽３４の前面に開口した投入口３４ｂから洗濯兼脱水槽３４内に洗濯物を投入する。洗剤供給手段３７に洗剤を入れた後、操作表示部を操作して運転を開始する。
【００４５】
これによって、制御手段４０は、給水手段３６を洗剤供給手段３７側に設定し、外槽３３内に給水を開始する。この時、給水された洗濯水は、外槽３３と洗濯兼脱水槽３４で構成される隙間に流入し、直接洗濯物が吸水することはないので、吸水による洗濯物の温度低下を防ぐことができる。
【００４６】
投入された洗濯物の量を布量検知手段（図示せず）で検知し、洗濯物の量に応じて予め設定された所定量の水が給水されると、制御手段４０は、洗濯兼脱水槽３４を叩き洗いが可能な回転速度（例えば、４５ｒ／ｍｉｎ）で正転と反転を繰り返し行わせ、洗濯物を回転方向へ持ち上げて、洗濯兼脱水槽３４内の上部から落下させる、所謂、叩き洗いを実行する。除菌洗浄を行う場合、外槽３３の底部３３ａに溜めた洗濯水は、加熱手段４２により温度検知手段４３が７０℃を検知するまで加熱される。
【００４７】
その間、循環ポンプ４５を駆動させ、外槽３３の底部３３ａから循環経路４４に流出した洗濯水は、フィルタ手段４７を経由して循環ポンプ４５の入口側４５ｂから吸込まれた後、循環ポンプ４５の出口側４５ａに設けられている噴出ノズル４６に流れ、噴出口４６ａから洗濯兼脱水槽３４内に噴出する。
【００４８】
洗濯兼脱水槽３４内に吐出された洗濯水は、洗濯物から汚れを溶かし込んで再び外槽３３の底部３３ａに溜まる。洗濯中に洗濯物から流れ出たリント等の異物は、フィルタ手段４７が捕集し、異物を除去した洗濯水が循環ポンプ４５に流れ込む。フィルタ手段４７で異物の捕集が進行し多量に堆積すると、フィルタ手段４７に洗濯水が堰き止められて、循環する洗濯水が減って噴出ノズル４６の噴出口４６ａから噴出する洗濯水が減少すると、フィルタ手段４７を掃除する必要がある。
【００４９】
フィルタ４７ｂで捕集したリント等の異物を取り除くときは、フィルタツマミ４７ｃを外方から覆っているフィルタ扉４７ｄを開いて、フィルタツマミ４７ｃを露出させる。フィルタ４７ｂは、フィルタケース４７ａ内に装着されており、第１の開閉手段４８および第２の開閉手段４９を開いた状態である。
【００５０】
図３のように、フィルタツマミ４７ｃを矢印イ方向へ取外位置まで回動させると、フィルタツマミ４７ｃの回動と連動して回転操作部５１も回動し、第１の連結部５１ａと、第２の連結部５１ｂは、第１の操作部４８ａと、第２の操作部４９ａを引っ張る方向に移動し、第１の開閉手段４８と、第２の開閉手段４９は、フィルタケース４７ａの第１の開口部４７ｅと、第２の開口部４７ｆをそれぞれ閉じる位置に移動し、その状態に保持される。
【００５１】
以上のように、本実施の形態においては、洗濯機外枠３０内に揺動可能に支持された外槽３３と、外槽３３内に回転自在に配設された洗濯兼脱水槽３４と、洗濯兼脱水槽３４を回転させる駆動手段３５と、外槽３３に洗濯水を供給する給水手段３６と、外槽３３の底部３３ａに一端を接続し他端を洗濯兼脱水槽３４の開口部に臨ませた循環経路４４と、外槽３３内の洗濯水を循環経路４４を通して洗濯兼脱水槽３４内に吐出し循環させる循環ポンプ４５と、循環経路４４に設けられ洗濯水中の異物を取り除くフィルタ手段４７とを備える。フィルタ手段４７は、循環経路４４に連通接続したフィルタケース４７ａと、フィルタケース４７ａ内に脱着自在に装着するフィルタ４７ｂと、フィルタ４７ｂを通過する洗濯水の流動を制御する開閉手段４８、４９とを有し、開閉手段４８、４９は、フィルタ４７ｂの脱着動作に連動して開閉するように構成される。これにより、電源の有無に関係なく、洗濯後、あるいは、洗濯中に運転を停止した状態で、フィルタの掃除を目的としてフィルタ４７ｂを取外す時に、開閉手段４８、４９を閉じることができ、外槽３３や循環経路４４に洗濯水が存在する場合でも、フィルタ手段４７からの漏水を防止することができる。また、洗濯水が高温に加熱された状態でも、安全にフィルタ４７ｂのメンテナンス作業を行うことができる。
【００５２】
また、フィルタ４７ｂを通過する洗濯水の流入側に第１の開閉手段４８を設け、フィルタ４７ｂを通過する洗濯水の流出側に第２の開閉手段４９を設ける。これにより、フィル
タ手段４７に対して、流入側と流出側からのフィルタ手段４７への流入を防止することができ、フィルタ手段４７の上方に位置する循環経路４４内の洗濯水がフィルタケース４７ａ内へ流れ落ちることがなく、循環経路４４の外槽３３の下方にフィルタ手段４７を設けた場合でも、フィルタ手段４７からの漏水を防止することができる。
【００５３】
また、フィルタツマミ４７ｃを回動させてフィルタ４７ｂを取外位置にしたとき、開閉手段４８、４９を閉じるようにしたものであり、フィルタ４７ｂの装着と離脱の動作に連動して開閉手段４８、４９を開閉し、フィルタ４７ｂを取り外す前に、開閉手段４８、４９を閉じることができ、フィルタ手段４７からの漏水を確実に防止することができる。
【００５４】
（実施の形態２）
図４は、本発明の第２の実施の形態における洗濯機の要部断面図、図５は、同洗濯機のフィルタ手段からフィルタを取り外した状態の要部断面図である。
【００５５】
本実施の形態の特徴は、フィルタ４７ｂの脱着動作に連動して開閉手段４８、４９を開閉するように構成し、フィルタ４７ｂの装着動作に連動して開閉手段４８、４９を開くとともに、フィルタ４７ｂの離脱時は、開閉手段４８、４９を閉じるようにしたものである。他の構成は実施の形態１と同じであり、同一の構成に同一の符号を付して、詳細な説明は実施の形態１のものを援用する。
【００５６】
図４および図５において、開閉手段を構成する第１の開閉手段４８および第２の開閉手段４９は、弁座５２と、弁座５２に圧接して流路５３を塞ぐ弁体５４と、弁体５４を弁座５２に圧接させる圧接ばね５５と、弁体５４に設けられた操作片５４ａで構成している。
【００５７】
フィルタ４７ｂをフィルタケース４７ａ内に挿入すると、圧接ばね５５の付勢力に抗して操作片５４ａが押圧され、弁体５４が弁座５２から離れて流路５３を開いた状態にする。フィルタケース４７ａからフィルタ４７ｂを取り出すと、操作片５４ａの押圧が解除され、圧接ばね５５の付勢力によって弁座５２に弁体５４が圧接されて流路５３が閉じられる。
【００５８】
以上のように、本実施の形態においては、フィルタ４７ｂの脱着動作に連動して開閉手段４８、４９を開閉するように構成し、フィルタ４７ｂの装着動作に連動して開閉手段４８、４９を開き、フィルタ４７ｂの離脱時は、開閉手段４８、４９を閉じるようにしたものであり、フィルタ４７ｂの装着と離脱の動作に連動して開閉手段４８、４９を開閉することができ、フィルタ手段４７からの漏水を確実に防止することができる。
【００５９】
（実施の形態３）
図６は、本発明の第３の実施の形態における洗濯機のフィルタ手段の開閉手段を開いた状態の要部断面図、図７は、同フィルタ手段の開閉手段を閉じた状態の要部断面図である。
【００６０】
本実施の形態の特徴は、フィルタケース４７ａの流入側と流出側に開口部４７ｅ、４７ｆを設け、フィルタケース４７ａ内に円筒状の弁体５６を回動自在に設けて開閉手段を構成したものである。他の構成は実施の形態１と同じであり、同一の構成に同一の符号を付して、詳細な説明は実施の形態１のものを援用する。
【００６１】
図６および図７において、フィルタ手段４７は、フィルタケース４７ａの流入側に設けた第１の開口部４７ｅと、フィルタケース４７ａの流出側に設けた第２の開口部４７ｆと、フィルタケース４７ａの内壁４７ｈに接して回動する円筒状の弁体５６と、第１の開口部４７ｅに対向して弁体５６の側壁５６ａに設けた第１の貫通口５６ｂと、第２の開口部
４７ｆに対向して弁体５６の側壁５６ａに設けた第２の貫通口５６ｃを有している。
【００６２】
フィルタ４７ｂは、回動自在な円筒状の弁体５６内に脱着自在に装着されており、フィルタ４７ｂを弁体５６内に装着した状態で弁体５６を回動させ、側壁５６ａに設けた第１の貫通口５６ｂと第２の貫通口５６ｃを各々第１の開口部４７ｅと第２の開口部４７ｆに対向させることにより開くことができ、弁体５６を所定の角度に回動させ、第１の貫通口５６ｂと第２の貫通口５６ｃの位置を回動方向へずらすことにより、弁体５６の側壁５６ａでフィルタケース４７ａに設けた第１の開口部４７ｅと第２の開口部４７ｆを閉じることができる。
【００６３】
フィルタ４７ｂの回動動作は、フィルタ４７ｂに設けた脱着操作用のフィルタツマミ４７ｃの手動操作によって行うことができ、フィルタツマミ４７ｃを装着位置にしたときに、第１の開口部４７ｅと第２の開口部４７ｆを開き、フィルタツマミ４７ｃを取外位置へ回動させたときに、第１の開口部４７ｅと第２の開口部４７ｆを閉じるようにしている。
【００６４】
以上のように、本実施の形態においては、フィルタケース４７ａの流入側に設けた第１の開口部４７ｅと、フィルタケース４７ａの流出側に設けた第２の開口部４７ｆと、フィルタケース４７ａの内壁４７ｈに接して回動する円筒状の弁体５６と、弁体５６の側壁５６ａに第１の開口部４７ｅに対向して設けた第１の貫通口５６ｂと、弁体５６の側壁に第２の開口部４７ｆに対向して設けた第２の貫通口５６ｃとを有し、弁体５６を回動させてフィルタケース４７ａの第１の開口部４７ｅと第２の開口部４７ｆを開閉するようにする。これにより、円筒状の弁体５６回動動作によって第１の開口部４７ｅおよび第２の開口部４７ｆを開閉する開閉手段を構成することができ、簡略な構成でフィルタ手段４７からの漏水を防止することができる。
【００６５】
（実施の形態４）
図８は、本発明の第４の実施の形態における洗濯機のフィルタ手段の開閉手段を開いた状態の要部断面図、図９は、同フィルタ手段の開閉手段を閉じた状態の要部断面図である。
【００６６】
本実施の形態の特徴は、フィルタツマミ４７ｃの回動操作に連動して円筒状の弁体５６を回動するようにしたものである。他の構成は実施の形態１および３と同じであり、同一の構成に同一の符号を付して、詳細な説明は実施の形態１および３のものを援用する。
【００６７】
図８および図９において、フィルタケース４７ａ内に円筒状の弁体５６を回動自在に設け、弁体５６内にフィルタ４７ｂを脱着自在に装着している。フィルタ４７ｂに脱着操作用のフィルタツマミ４７ｃを操作可能な位置に設け、フィルタツマミ４７ｃに嵌合片４７ｇを設けている。嵌合片４７ｇは、弁体５６側へ突出するようにフィルタツマミ４７ｃの円周上に１８０度の角度で２箇所に設けられている。
【００６８】
弁体５６のフィルタツマミ４７ｃと対向する前面側の外周部に、フィルタツマミ４７ｃに設けた嵌合片４７ｇと対向する位置に凹部５６ｄを設け、フィルタツマミ４７ｃと弁体５６が連動可能に嵌合するように構成している。嵌合片４７ｇと凹部５６ｄは、フィルタツマミ４７ｃと円筒状の弁体５６の位置関係が一義的に決まるように、大きさ、形状等を異ならせている。
【００６９】
以上のように、本実施の形態においては、フィルタツマミ４７ｃの回動操作に連動して円筒状の弁体５６を回動させるようにしたものであり、第１の開閉手段４８と、第２の開閉手段４９の閉動作がフィルタ４７ｂを取り外すためのフィルタツマミ４７ｃの回動操作によって行うことができ、フィルタ４７ｂの取外し時にフィルタ手段４７からの漏水を防
止することができるとともに、フィルタ４７ｂのメンテナンス作業後の開閉手段の閉め忘れを防止することができる。
【００７０】
（実施の形態５）
図１０は、本発明の実施の形態５における洗濯機のフィルタ手段の開閉手段を開いた状態の要部断面図、図１１は、同フィルタ手段の開閉手段を閉じた状態の要部断面図である。
【００７１】
本実施の形態の特徴は、フィルタ４７ｂを取外位置にしたとき、フィルタケース４７ａに設けた排水口４７ｉを開くようにものである。他の構成は実施の形態１および３、４と同じであり、同一の構成に同一の符号を付して、詳細な説明は実施の形態１および３、４のものを援用する。
【００７２】
図１０および図１１において、フィルタケース４７ａは前上がりに傾斜して取り付けられている。フィルタケース４７ａの奥の面の下部に、フィルタケース４７ａ内の洗濯水を排水する排水口４７ｉが設けられている。フィルタケース４７ａの奥の面と接する円筒状の弁体５６の底面に、第３の貫通口５６ｅが設けられている。フィルタツマミ４７ｃの回動操作によってフィルタ４７ｂが取外位置になったときに、第３の貫通口５６ｅが排水口４７ｉと対向し、排水口４７ｉを開くように構成している。
【００７３】
以上のように、本実施の形態においては、フィルタ４７ｂに設けた脱着操作用のフィルタツマミ４７ｃを回動させてフィルタ４７ｂを取外位置にしたとき、第３の貫通口５６ｅをフィルタケース４７ａに設けた排水口４７ｉと対向するようにしたものである。これにより、フィルタ４７ｂの取り外し前に、弁体５６の側壁５６ａでフィルタケース４７ａに設けた第１の開口部４７ｅと第２の開口部４７ｆを閉じることができるとともに、フィルタケース４７ａ内の洗濯水や残水を排出することができるようになり、フィルタ４７ｂの取外し時に、フィルタ手段４７からの漏水を防止することができる。
【００７４】
（実施の形態６）
図１２は、本発明の第６の実施の形態における洗濯機の要部断面図である。
【００７５】
本実施の形態の特徴は、フィルタツマミ４７ｃを外方から覆うフィルタ扉４７ｄの開閉動作に連動して開閉手段を開閉するようにしたものである。他の構成は実施の形態１と同じであり、同一の構成に同一の符号を付して、詳細な説明は実施の形態１のものを援用する。
【００７６】
図１２において、フィルタ４７ｂに脱着操作用のフィルタツマミ４７ｃを設け、フィルタツマミ４７ｃを外方から覆うフィルタ扉４７ｄを開閉自在に設けている。第１の開閉手段４８の操作部４８ａは、フィルタ扉４７ｄの裏側に設けた第１の連結部５０ａに結合している。第２の開閉手段４９の操作部４９ａは、フィルタ扉４７ｄの裏側に設けた第２の連結部５０ｂに結合している。
【００７７】
フィルタ４７ｂを掃除するときは、フィルタ扉４７ｄを開くことによって、第１の連結部５０ａと第２の連結部５０ｂは、付勢力に抗して第１の操作部４８ａと第２の操作部４９ａを引っ張る方向に移動し、第１の開口部４７ｅおよび第２の開口部４７ｆは、第１の開閉手段４８と第２の開閉手段４９によって閉じられ、フィルタ扉４７ｄを閉じると、上記の逆動作で第１の開閉手段４８と第２の開閉手段４９が開かれる。
【００７８】
以上のように、本実施の形態においては、フィルタ扉４７ｄの開閉動作に連動して開閉手段４８、４９を開閉するように構成し、フィルタ扉４７ｄの開成時に、開閉手段４８、
４９を閉じるようにしたものであり、フィルタ４７ｂの取外し時にフィルタ手段４７からの漏水を防止することができるとともに、フィルタ４７ｂのメンテナンス作業後の開閉手段の閉め忘れを防止することができる。
【産業上の利用可能性】
【００７９】
以上のように、本発明にかかる洗濯機は、運転停止状態においてフィルタを取外した場合でも、フィルタ手段からの漏水を防止することができるので、洗濯機として有用である。
【符号の説明】
【００８０】
３０  洗濯機外枠
３３  外槽
３４  洗濯兼脱水槽
３５  モータ（駆動手段）
３６  給水弁（給水手段）
４４  循環経路
４５  循環ポンプ
４７  フィルタ手段
４７ａ  フィルタケース
４７ｂ  フィルタ
４８  第１の開閉手段（開閉手段）
４９  第２の開閉手段（開閉手段）
【図１】
2014212821.tif 000003
【図２】
2014212821.tif 000004
【図３】
2014212821.tif 000005
【図４】
2014212821.tif 000006
【図５】
2014212821.tif 000007
【図６】
2014212821.tif 000008
【図７】
2014212821.tif 000009
【図８】
2014212821.tif 000010
【図９】
2014212821.tif 000011
【図１０】
2014212821.tif 000012
【図１１】
2014212821.tif 000013
【図１２】
2014212821.tif 000014
【図１３】
2014212821.tif 000015